(57)【要約】【課題】垂木の配置によらず垂木と吊木とを固定できる、垂木と吊木との固定具を提供する。垂木が任意の位置に配置された垂木構造を提供する。【解決手段】垂木と吊木とを固定する固定具（１００）は、垂木（２１３）と吊木（２２０）とを固定するための固定具であって、第１の回動軸と、この第１の回動軸と交差する第２の回動軸とを有する中継具（１１０）と、第１の回動軸を中心として旋回可能に連結され、垂木（２１３）と固定される第１の取付具（１２０）と、第２の回動軸を中心として旋回可能に連結され、吊木（２２０）と固定される第２の取付具（１３０）とを備えている。垂木構造（２００）は、垂木と吊木との固定具（１００）と、傾斜する野地板を支持し、放射状に配置された複数の垂木（２１０）とを備え、複数の垂木（２１０）の少なくとも１つに、第１の取付具（１２０）が固定される。【選択図】図５
2015068035.tif 000002
【特許請求の範囲】
【請求項１】
垂木と吊木とを固定するための固定具であって、
第１の回動軸と、前記第１の回動軸と交差する第２の回動軸とを有する中継具と、
前記第１の回動軸を中心として旋回可能に連結され、垂木と固定される第１の取付具と、
前記第２の回動軸を中心として旋回可能に連結され、吊木と固定される第２の取付具とを備えた、垂木と吊木との固定具。
【請求項２】
前記第１の回動軸と前記第２の回動軸とは直交する、請求項１に記載の垂木と吊木との固定具。
【請求項３】
前記中継具は、前記第１の回動軸を有する第１の面部材と、前記第２の回動軸を有する第２の面部材とを含み、
前記第１の取付具は、前記第１の面部材に連結された第１の連結部材と、前記第１の連結部材から交差する方向に延び、垂木と固定される第１の固定部材とを含み、
前記第２の取付具は、前記第２の面部材に連結された第２の連結部材と、前記第２の連結部材から交差する方向に延び、吊木と固定される第２の固定部材とを含む、請求項１または２に記載の垂木と吊木との固定具。
【請求項４】
前記第１の連結部材と前記第１の固定部材とは直交し、
前記第２の連結部材と前記第２の固定部材とは直交する、請求項３に記載の垂木と吊木との固定具。
【請求項５】
請求項１〜４のいずれか１項に記載の垂木と吊木との固定具と、
傾斜する野地板を支持し、放射状に配置された複数の垂木とを備え、
前記複数の垂木の少なくとも１つに、前記第１の取付具が固定される、垂木構造。
【請求項６】
前記第２の取付具により固定され、鉛直方向に延びる吊木と、
前記吊木に連結され、水平方向に延びる野縁とをさらに備えた、請求項５に記載の垂木構造。
【発明の詳細な説明】
【技術分野】
【０００１】
本発明は、垂木と吊木との固定具及び垂木構造に関する。
【背景技術】
【０００２】
従来より、屋根構成部材に連結金具を介して天井を吊る部材を設け、この部材の下端部に天井板を取り付けることにより、建物内に天井板を形成している。このときに用いられる連結金具は、例えば、実開平４−８２１１１号公報（特許文献１）に開示されている。
【０００３】
この特許文献１の連結金具は、略Ｌ字状の垂直板部と水平板部とからなり、垂直板部には屋根構成部材に掛合する掛合片が切り起し状に形成され、水平板部にはその一部を切除して上下に折り曲げ可能な取付片が形成され、取付片には天井を吊る部材としての天井吊ボルトのねじ込み用ねじ孔が貫設されている。垂直部の掛合片を屋根構成部材に掛合させた後、取付片のねじ孔に天井吊ボルトをねじ込むことで、天井吊ボルトを屋根構成部材に対し垂直状に連結できることが特許文献１に開示されている。
【先行技術文献】
【特許文献】
【０００４】
【特許文献１】実開平４−８２１１１号公報
【発明の概要】
【発明が解決しようとする課題】
【０００５】
しかしながら、上記特許文献１の連結金具は、垂直板部と水平板部とが略Ｌ字状に形成されているので、放射状に配置された垂木と、鉛直方向に延びる吊木とを固定することは難しい。
【０００６】
本発明は、上記問題点に鑑み、垂木の配置によらず垂木と吊木とを固定できる、垂木と吊木との固定具を提供することを一の課題とする。また、本発明は、垂木が任意の位置に配置された垂木構造を提供することを他の課題とする。
【課題を解決するための手段】
【０００７】
本発明の垂木と吊木との固定具は、垂木と吊木とを固定するための固定具であって、中継具と、第１の取付具と、第２の取付具とを備えている。中継具は、第１の回動軸と、この第１の回動軸と交差する第２の回動軸とを有している。第１の取付具は、第１の回動軸を中心として旋回可能に連結され、垂木と固定される。第２の取付具は、第２の回動軸を中心として旋回可能に連結され、吊木と固定される。
【０００８】
本発明の垂木と吊木との固定具において好ましくは、第１の回動軸と第２の回動軸とは直交する。
【０００９】
本発明の垂木と吊木との固定具において好ましくは、中継具は、第１の回動軸を有する第１の面部材と、第２の回動軸を有する第２の面部材とを含み、第１の取付具は、第１の面部材に連結された第１の連結部材と、この第１の連結部材から交差する方向に延び、垂木と固定される第１の固定部材とを含み、第２の取付具は、第２の面部材に連結された第２の連結部材と、この第２の連結部材から交差する方向に延び、吊木と固定される第２の固定部材とを含んでいる。
【００１０】
本発明の垂木と吊木との固定具において好ましくは、第１の連結部材と第１の固定部材とは直交し、第２の連結部材と第２の固定部材とは直交する。
【００１１】
本発明の垂木構造は、上記いずれかに記載の垂木と吊木との固定具と、傾斜する野地板を支持し、放射状に配置された複数の垂木とを備え、この複数の垂木の少なくとも１つに、第１の取付具が固定される。
【００１２】
本発明の垂木構造において好ましくは、第２の取付具により固定され、鉛直方向に延びる吊木と、この吊木に連結され、水平方向に延びる野縁とをさらに備えている。
【発明の効果】
【００１３】
本発明の垂木と吊木との固定具によれば、垂木の配置によらず垂木と吊木とを固定できる。また、本発明の垂木構造によれば、垂木が任意の位置に配置される。
【図面の簡単な説明】
【００１４】
【図１】本発明の実施の形態の垂木と吊木との固定具を概略的に示す斜視図である。
【図２】本発明の実施の形態の垂木と吊木との固定具を概略的に示す側面図である。
【図３】本発明の実施の形態の垂木構造を含む屋根構造を概略的に示す平面図である。
【図４】本発明の実施の形態の垂木構造を概略的に示す平面図である。
【図５】本発明の実施の形態の垂木と吊木との固定具を、垂木及び吊木に固定した状態を概略的に示す斜視図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
図１及び図２を参照して、本発明の一実施形態の垂木と吊木との固定具について説明する。本発明の実施の形態の固定具は、垂木と吊木とを固定するための固定具である。
【００１７】
図１及び図２に示すように、垂木と吊木との固定具（以下、固定具１００とも言う）は、中継具１１０と、第１の取付具１２０と、第２の取付具１３０とを備えている。
【００１８】
図２に示すように、中継具１１０は、第１の回動軸Ｘ１を有する第１の面部材１１１と、第２の回動軸Ｘ２を有する第２の面部材１１２とを含んでいる。第１の面部材１１１と第２の面部材１１２とは交差し、第１の面部材１１１は第２の面部材１１２から立設されている。本実施の形態では、第１の面部材１１１と第２の面部材１１２とは直交し、略Ｌ字形状をなしている。第１の面部材１１１と第２の面部材１１２とは別部材であってもよく、一体成形されていてもよい。
【００１９】
第１の回動軸Ｘ１と第２の回動軸Ｘ２とは交差し、本実施の形態では直交している。この場合、第１の回動軸Ｘ１は第２の面部材１１２の延在方向（第１の面部材１１１側の一端から他端へ延びる方向）と平行であり、第２の回動軸Ｘ２は第１の面部材１１１の延在方向（第２の面部材１１２側の一端から他端へ延びる方向）と平行である。
【００２０】
本実施の形態では、中継具１１０は、第１の連結具１１３と第２の連結具１１４とをさらに含み、第１の連結具１１３が第１の回動軸Ｘ１を構成し、第２の連結具１１４が第２の回動軸Ｘ２を構成している。具体的には、第１の面部材１１１には第１の連結具１１３を挿入するための貫通孔が形成され、第２の面部材１１２には第２の連結具１１４を挿入するための貫通孔が形成されている。第１の面部材１１１の貫通孔に第１の連結具１１３が挿入され、第２の面部材１１２の貫通孔に第２の連結具１１４が挿入されている。第１及び第２の連結具１１３、１１４は、例えば、ピン状である。
【００２１】
第１の取付具１２０は、第１の回動軸Ｘ１を中心として旋回可能に連結され、垂木と固定される。具体的には、第１の取付具１２０は、第１の連結部材１２１と、第１の固定部材１２２とを含んでいる。第１の連結部材１２１と第１の固定部材１２２とは交差し、第１の連結部材１２１は第１の固定部材１２２から立設されている。本実施の形態では直交し、略Ｌ字形状をなしている。この場合、第１の連結部材１２１の延在方向（第１の固定部材１２２側の一端から他端へ延びる方向）は、第２の回動軸Ｘ２と平行であり、第１の固定部材１２２の延在方向（第１の連結部材１２１側の一端から他端へ延びる方向）は、第１の回動軸Ｘ１と平行である。
【００２２】
第１の連結部材１２１は、第１の面部材１１１に連結され、第１の回動軸Ｘ１を有している。第１の連結部材１２１は、第１の面部材１１１と重なるように配置されている。第１の連結部材１２１には貫通孔が形成され、この貫通孔に第１の回動軸Ｘ１を構成する第１の連結具１１３が挿入されている。本実施の形態では、第１の連結部材１２１と第１の面部材１１１とは、平面視において略同形状であり、それぞれの中心に貫通孔が形成されている。
【００２３】
第１の固定部材１２２は垂木と固定されるため、図１に示すように、垂木を固定するための部材を挿入するための貫通孔１２３を有している。貫通孔１２３は単数であっても複数であってもよく、複数の貫通孔１２３が設けられている場合には、図１に示すように延在方向に沿って配置されていてもよく、延在方向と交差する方向に沿って配置されていてもよく（図示せず）、ランダムに配置されていてもよい（図示せず）。
【００２４】
第１の連結部材１２１と第１の固定部材１２２とは別部材であってもよく、一体成形されていてもよい。
【００２５】
第２の取付具１３０は、第２の回動軸Ｘ２を中心として旋回可能に連結され、吊木と固定される。具体的には、第２の取付具１３０は、第２の連結部材１３１と、第２の固定部材１３２とを含んでいる。第２の連結部材１３１と第２の固定部材１３２とは交差し、第２の連結部材１３１は第２の固定部材１３２から立設されている。本実施の形態では、第２の連結部材１３１と第２の固定部材１３２とは直交し、略Ｌ字形状をなしている。この場合、第２の連結部材１３１の延在方向（第２の固定部材１３２側の一端から他端へ延びる方向）は、第１の回動軸Ｘ１と平行であり、第２の固定部材１３２の延在方向（第２の連結部材１３１側の一端から他端へ延びる方向）は、第２の回動軸Ｘ２と平行である。
【００２６】
第２の連結部材１３１は、第２の面部材１１２に連結され、第２の回動軸Ｘ２を有している。第２の連結部材１３１は、第２の面部材１１２と重なるように配置されている。第２の連結部材１３１には貫通孔が形成され、この貫通孔には第２の回動軸Ｘ２を構成する第２の連結具１１４が挿入されている。本実施の形態では、第２の連結部材１３１と第２の面部材１１２とは、平面視において略同形状であり、それぞれの中心に貫通孔が形成されている。
【００２７】
第２の固定部材１３２は吊木と固定されるため、図１に示すように、吊木を固定するための部材を挿入するための貫通孔１３３を有している。貫通孔１３３は単数であっても複数であってもよく、複数の貫通孔１３３が設けられている場合には、図１に示すように延在方向に沿って配置されていてもよく、延在方向と交差する方向に沿って配置されていてもよく（図示せず）、ランダムに配置されていてもよい（図示せず）。
【００２８】
第２の連結部材１３１と第２の固定部材１３２とは別部材であってもよく、一体成形されていてもよい。
【００２９】
第１の面部材１１１において第１の連結部材１２１と連結される面と、第２の面部材１１２において第２の連結部材１３１と連結される面とは、同じ側に位置していることが好ましい。
【００３０】
続いて、図１〜図５を参照して、本発明の一実施の形態の垂木構造について説明する。
【００３１】
図３に示すように、垂木構造２００は、棟木３１０、隅木３２０、垂木３３０などを含む寄棟屋根などの屋根において、隅木３２０の所定位置３２１から複数の垂木２１０が放射状に配置された領域である。本実施の形態の垂木構造２００は、隅棟の出隅部であり、平面視において略三角形である。つまり、垂木構造２００の外縁が平面視において略三角形状であり、垂木３３０上に配置される野地板は平面視において略三角形である。
【００３２】
垂木構造２００は、吊り天井を構成し、図４に示すように、図１及び図２に示す固定具１００と、複数の垂木２１０と、複数の吊木２２０と、野縁２３０とを備えている。
【００３３】
複数の垂木２１０は、例えば、図４では５本の垂木２１１〜２１５を有している。複数の垂木２１０は、下方に傾斜する野地板を支持する。このため、複数の垂木２１０は、野地板と同様の勾配を有し、下方に傾斜している。また、複数の垂木２１０は、放射状に配置された（一端が所定位置３２１に集められ、他端が放射状に広がるように配置された）扇垂木である。つまり、複数の垂木２１０は、野地板を支持するために傾斜し、さらに、この傾斜方向と異なる方向に傾斜している。このため、複数の垂木２１０において、平行垂木３３０と同方向に延びる端部に配置された垂木２１１と、放射状を構成する他の垂木２１２〜２１５とのなす角度は、それぞれ異なっている。また、垂木２１２〜２１５の側面は、鉛直方向に平行に沿っている（水平方向に垂直である）場合と、水平方向及び鉛直方向に対して傾斜している場合とを含む。後者の垂木２１２〜２１５がひねった状態（側面が水平方向及び鉛直方向に対して傾斜している状態）で配置されている場合、野地板の勾配に応じてひねり具合は異なっている。
【００３４】
吊木２２０は、固定具１００を介して複数の垂木２１０の少なくとも一つと接続され、鉛直方向に延びる。吊木２２０は、複数の垂木２１０のそれぞれと接続されてもよく、複数の垂木２１０の一つと接続されてもよい。
【００３５】
野縁２３０は、吊木２２０と連結され、水平方向に延びる。野縁２３０は、吊木２２０と直接連結されてもよく、吊木２２０と直接連結された野縁受けなどを介して連結されていてもよい。野縁２３０は、例えば、軒天ボード上に配置される。
【００３６】
図５に示すように、固定具１００の第１の取付具１２０の第１の固定部材１２２が垂木２１０の側面に固定され、固定具１００の第２の取付具１３０の第２の固定部材１３２が吊木２２０の側面に固定されている。
【００３７】
続いて、図１〜図５を参照して、本実施の形態の固定具１００を用いて、垂木２１３と吊木２２０とを固定する方法について説明する。なお、垂木２１３は、鉛直方向に傾斜する（図５における傾斜角度θ１を有する）と共に、図４に示すように水平方向にも傾斜している（図４における放射角度θ２を有している）。
【００３８】
垂木２１０の放射角度θ２に合わせて、第１の回動軸Ｘ１を中心に第１の取付具１２０を旋回することにより、第１の固定部材１２２の位置を調整する。また、垂木２１０の傾斜角度θ１に合わせて、第２の回動軸Ｘ２を中心に第２の取付具１３０を旋回することにより、第２の固定部材１３２の位置を調整する。このように垂木２１０の放射角度θ２及び傾斜角度θ１に合わせて、第１及び第２の固定部材１２２、１３２の位置決めをした後、第１及び第２の固定部材１２２、１３２の貫通孔１２３、１３３にねじ等の接続部材２４１、２４２を挿入して、第１及び第２の取付具１２０、１３０と、垂木２１０及び吊木２２０とを固定する。この場合、固定具１００において、第１の回動軸Ｘ１は、鉛直方向に延びるように位置し、第２の回動軸Ｘ２は、水平方向に延びるように位置している。
【００３９】
なお、垂木２１０が下方に傾斜すると共に放射状に配置され、さらにひねった状態で配置される場合には、例えば、吊木２２０を固定する第２の取り付け具１３０の第２の固定部材１３２を水平方向に傾斜させることで、同様に、固定具１００により垂木２１０と吊木２２０とを固定することができる。
【００４０】
したがって、垂木２１０が任意の位置に配置する場合において、例えば、以下の工程を実施することができる。即ち、まず、傾斜する野地板を支持し、放射状に配置された複数の垂木２１０と、この複数の垂木２１０の少なくとも１つに固定具１００の第１の取付具１２０を固定した構造を準備する。このとき、複数の垂木２１０上に野地板が配置されていてもよい。また、野縁２３０と吊木２２０とを連結する。次に、上述したように、固定具１００の第１及び第２の回動軸Ｘ１、Ｘ２により垂木２１０の傾斜角度及び放射角度をそれぞれ調整して、固定具１００の第２の取付具１３０を吊木２２０に固定する。これにより、垂木２１０から鉛直方向に吊木２２０を吊ることができる。なお、工程の順序は特に限定されない。
【００４１】
ここで、本実施の形態では、図１及び図２に示すように、第１及び第２の取付具１２０、１３０は略Ｌ字形状の部材として説明したが、本発明の第１及び第２の取付具の形状は略Ｌ字形状に限定されず、例えば平板状であってもよい。この場合、第１及び第２の取付具は、例えば、第１及び第２の回動軸を有するとともに、平板の端部側で垂木及び吊木と固定される。
【００４２】
以上説明したように、本実施の形態の垂木２１０と吊木２２０とを固定する固定具１００は、垂木２１０と吊木２２０とを固定するための固定具であって、第１の回動軸Ｘ１と、この第１の回動軸Ｘ１と交差する第２の回動軸Ｘ２とを有する中継具１１０と、第１の回動軸Ｘ１を中心として旋回可能に連結され、垂木２１０と固定される第１の取付具１２０と、第２の回動軸Ｘ２を中心として旋回可能に連結され、吊木２２０と固定される第２の取付具１３０とを備えている。
【００４３】
本実施の形態の垂木２１０と吊木２２０とを固定する固定具１００によれば、交差する２軸（第１の回動軸Ｘ１及び第２の回動軸Ｘ２）を中心に第１の取付具１２０及び第２の取付具１３０をそれぞれ旋回することができる。つまり、第１の取付具１２０と第２の取付具１３０とは、別個に、異なる方向に旋回可能である。このため、固定具１００は、下方に傾斜しており、さらに放射状に配置されている垂木２１０と、鉛直方向に延びる吊木２２０とを固定することができる。このように、固定具１００は、垂木２１０の配置によらず、垂木２１０と吊木２２０とを固定できる。
【００４４】
本実施の形態の垂木２１０と吊木２２０とを固定する固定具１００において好ましくは、第１の回動軸Ｘ１と第２の回動軸Ｘ２とは直交している。これにより、直交する２軸を中心に旋回可能な第１及び第２の取付具１２０、１３０を備えているので、垂木２１０の配置によらず、垂木２１０と吊木２２０とを容易に固定できる固定具１００を実現できる。
【００４５】
本実施の形態における垂木２１０と吊木２２０とを固定する固定具１００において好ましくは、中継具１１０は、第１の回動軸Ｘ１を有する第１の面部材１１１と、第２の回動軸Ｘ２を有する第２の面部材１１２とを含み、第１の取付具１２０は、第１の面部材１１１に連結された第１の連結部材１２１と、この第１の連結部材１２１から交差する方向に延び、垂木２１０と固定される第１の固定部材１２２とを含み、第２の取付具１３０は、第２の面部材１１２に連結された第２の連結部材１３１と、この第２の連結部材１３１から交差する方向に延び、吊木２２０と固定される第２の固定部材１３２とを含んでいる。
【００４６】
この場合、中継具１１０、第１の取付具１２０及び第２の取付具１３０の３体の部材が２つの回動軸を有して連結され、第１及び第２の取付具１２０、１３０がそれぞれ個別に回動可能な構造である。したがって、垂木２１０の配置によらずに、垂木２１０と吊木２２０とを固定できる固定具１００を実現できる。
【００４７】
本実施の形態の垂木２１０と吊木２２０とを固定する固定具１００において好ましくは、第１の連結部材１２１と第１の固定部材１２２とは直交し、第２の連結部材１３１と第２の固定部材１３２とは直交する。これにより、垂木２１０と吊木２２０とをより容易に固定できる固定具１００を実現できる。
【００４８】
本実施の形態の垂木２１０と吊木２２０とを固定する固定具１００においてより好ましくは、第１の面部材１１１と第２の面部材１１２とは直交し、第１の連結部材１２１と第１の固定部材１２２とは直交し、第２の連結部材１３１と第２の固定部材１３２とは直交する。この場合、中継具１１０、第１の取付具１２０及び第２の取付具１３０が側面視において略Ｌ字状の部材であり、３体の略Ｌ字状の部材が２つの回動軸を有して連結され、第１及び第２の取付具１２０、１３０がそれぞれ個別に回動可能な構造である。したがって、垂木２１０の配置によらずに、垂木２１０と吊木２２０とをより容易に固定できる固定具１００を実現できる。
【００４９】
本実施の形態の垂木構造２００は、上記の垂木２１０と吊木２２０との固定具１００と、傾斜する野地板を支持し、放射状に配置された複数の垂木２１０とを備え、この複数の垂木２１０の少なくとも１つに、第１の取付具１２０が固定される。
【００５０】
本実施の形態の垂木構造２００によれば、垂木２１０の配置によらずに垂木２１０と吊木２２０とを固定できる固定具１００を備えているので、野地板を支持するために垂木２１０を傾斜し、かつ放射状に垂木２１０を配置することもできる。このように、本実施の形態では、垂木２１０が任意の位置に配置された垂木構造２００を実現できる。
【００５１】
放射状に垂木２１０を配置した垂木構造２００は、図４に示すように、平行垂木３３０の配置と比べて、所定位置３２１（図３参照）から桁３４０までの距離を長くすることができる。このため、垂木２１０に加えられる応力を低減できる。したがって、垂木構造２００は、出隅部に好適に用いられる。
【００５２】
また、本実施の形態では、上記垂木構造２００と、複数の垂木２１０上に配置され、平面視において略三角形の野地板とを備えたパネル構造を実現できる。
【００５３】
本実施の形態の垂木構造２００において好ましくは、第２の取付具１３０により固定され、鉛直方向に延びる吊木２２０と、この吊木２２０に連結され、水平方向に延びる野縁２３０とをさらに備えている。これにより、放射状に配置された垂木２１０を備えた吊り天井を実現することができる。
【００５４】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００５５】
１００  固定具、１１０  中継具、１１１  第１の面部材、１１２  第２の面部材、１２０  第１の取付具、１２１  第１の連結部材、１２２  第１の固定部材、１２３，１３３  貫通孔、１３０  第２の取付具、１３１  第２の連結部材、１３２  第２の固定部材、１４１  第１の連結具、１４２  第２の連結具、２００  垂木構造、２１０〜２１５，３３０  垂木、２２０  吊木、２３０  野縁、２４１，２４２  接続部材、３１０  棟木、３２０  隅木、３２１  所定位置、Ｘ１  第１の回動軸、Ｘ２  第２の回動軸。
【図１】
2015068035.tif 000003
【図２】
2015068035.tif 000004
【図３】
2015068035.tif 000005
【図４】
2015068035.tif 000006
【図５】
2015068035.tif 000007